(57)【特許請求の範囲】
【請求項１】
表示装置に表示する放送チャンネルの選択制御を行うチャンネル選択制御装置であって、
前記表示装置に表示する放送チャンネルの選択操作に用いられる操作手段と、
各前記放送チャンネルの放送内容を一義的に示すジャンルの情報であるジャンル情報を取得する取得手段と、
前記ジャンル情報に関連づけて前記放送チャンネルが選択される際の前記各放送チャンネルの序列を示すチャンネル選択リストを生成する生成手段と、
前記操作手段と前記生成されたチャンネル選択リストとを対応づけて前記放送チャンネルの選択制御を行う制御手段と、
を備え、
前記取得手段が、
各前記放送チャンネル毎に放送される各番組のジャンルを示す番組ジャンル情報および当該各番組の放送時間を示す放送時間情報を少なくとも含む番組情報を取得する番組情報取得手段と、
前記各放送チャンネル毎に、前記番組ジャンル情報に基づいて前記各番組を分類するとともに当該分類された各ジャンルの放送時間を算出する算出手段と、
前記算出された各ジャンル毎の放送時間に基づいて前記各放送チャンネルのジャンルを決定する決定手段と、
を有することを特徴とするチャンネル選択制御装置。
【請求項２】
請求項１に記載のチャンネル選択制御装置において、
前記生成手段が、前記ジャンル情報に基づいて前記ジャンル毎に前記各放送チャンネルを分類する分類手段を有するとともに、前記分類したジャンル毎に前記放送チャンネルを配列して前記チャンネル選択リストを生成することを特徴とするチャンネル選択制御装置。
【請求項３】
請求項１又は２に記載のチャンネル選択制御装置において、
前記取得手段が、ユーザが過去に選択した前記各放送チャンネルの情報を示す選択履歴情報を取得し、
前記生成手段が、前記選択履歴情報に基づいて前記ジャンルおよび前記放送チャンネルの少なくとも何れか一方の優先度を設定するとともに、当該優先度に基づいて前記チャンネル選択リストを生成することを特徴とするチャンネル選択制御装置。
【請求項４】
請求項３に記載のチャンネル選択制御装置において、
前記選択履歴情報に過去に前記ユーザが各放送チャンネルを視聴した視聴時間を示す視聴時間情報を少なくとも含むことを特徴とするチャンネル選択制御装置。
【請求項５】
請求項１乃至４の何れか一項に記載のチャンネル選択制御装置において、
前記チャンネル選択リストを前記表示装置に表示する表示制御手段を有することを特徴とするチャンネル選択制御装置。
【請求項６】
表示装置に表示する放送チャンネルの選択制御を行うチャンネル選択制御方法であって、
各前記放送チャンネルの放送内容を一義的に示すジャンルの情報であるジャンル情報を取得する取得処理工程と、
前記ジャンル情報に関連づけて前記放送チャンネルが選択される際の前記各放送チャンネルの序列を示すチャンネル選択リストを生成する生成処理工程と、
前記表示装置に表示する放送チャンネルの選択操作が行われたとき、前記生成されたチャンネル選択リストに対応づけて前記放送チャンネルの選択制御を行う選択制御工程と、
を含み、
前記取得処理工程には、
各前記放送チャンネル毎に放送される各番組のジャンルを示す番組ジャンル情報および当該各番組の放送時間を示す放送時間情報を少なくとも含む番組情報を取得する番組情報取得処理工程と、
前記各放送チャンネル毎に、前記番組ジャンル情報に基づいて前記各番組を分類するとともに当該分類された各ジャンルの放送時間を算出する算出処理工程と、
前記算出された各ジャンル毎の放送時間に基づいて前記各放送チャンネルのジャンルを決定する決定処理工程と、
を含むことを特徴とするチャンネル選択制御方法。
【請求項７】
請求項６に記載のチャンネル選択制御方法において、
前記生成処理工程においては、前記ジャンル情報に基づいて前記ジャンル毎に前記各放送チャンネルを分類するとともに、前記分類したジャンル毎に前記放送チャンネルを配列して前記チャンネル選択リストを生成することを特徴とするチャンネル選択制御方法。
【請求項８】
請求項６又は７に記載のチャンネル選択制御方法において、
前記取得処理工程においては、ユーザが過去に選択した前記各放送チャンネルの情報を示す選択履歴情報を取得し、
前記生成処理工程においては、前記選択履歴情報に基づいて前記ジャンルおよび前記放送チャンネルの少なくとも何れか一方の優先度を設定するとともに、当該優先度に基づいて前記チャンネル選択リストを生成することを特徴とするチャンネル選択制御方法。
【請求項９】
請求項８に記載のチャンネル選択制御方法において、
前記選択履歴情報に過去に前記ユーザが各放送チャンネルを視聴した視聴時間を示す視聴時間情報を少なくとも含むことを特徴とするチャンネル選択制御方法。
【請求項１０】
請求項６乃至９の何れか一項に記載のチャンネル選択制御方法において、
前記チャンネル選択リストを前記表示装置に表示する表示制御工程を含むことを特徴とするチャンネル選択制御方法。
【請求項１１】
コンピュータによって、表示装置に表示する放送チャンネルの選択制御を行うチャンネル選択制御プログラムであって、
前記コンピュータを、
各前記放送チャンネルの放送内容を一義的に示すジャンルの情報であるジャンル情報を取得する取得手段、
前記ジャンル情報に関連づけて前記放送チャンネルが選択される際の前記各放送チャンネルの序列を示すチャンネル選択リストを生成する生成手段、
前記表示装置に表示する放送チャンネルの選択操作が行われたときに、前記生成されたチャンネル選択リストに対応づけて前記放送チャンネルの選択制御を行う制御手段、
として機能させ、
前記取得手段が、
各前記放送チャンネル毎に放送される各番組のジャンルを示す番組ジャンル情報および当該各番組の放送時間を示す放送時間情報を少なくとも含む番組情報を取得する番組情報取得手段と、
前記各放送チャンネル毎に、前記番組ジャンル情報に基づいて前記各番組を分類するとともに当該分類された各ジャンルの放送時間を算出する算出手段と、
前記算出された各ジャンル毎の放送時間に基づいて前記各放送チャンネルのジャンルを決定する決定手段と、
を有することを特徴とするチャンネル選択制御プログラム。
【発明の詳細な説明】
【０００１】
【発明の属する技術分野】
本発明は、多チャネル放送を受信するテレビジョン放送受信機に関し、特に、各番組毎に提供されるジャンル情報に基づいて各放送チャンネルのチャンネル順選択を行う装置および方法に関する。
【０００２】
【従来の技術】
近年、放送衛星、通信衛星などの人工衛星を介して、デジタル化したテレビジョン信号を伝送し、各家庭においてこれを受信してテレビ番組を視聴するデジタル放送システムが運用されている。この種のシステムでは、多くの放送チャンネル（以下、単にチャンネルという）を確保することができるので、非常に多数の番組を放送することができるようになっている。
【０００３】
また、上述のデジタル方法をケーブルテレビなどの有線によって提供される場合も多く、衛星放送を直接受信するとともに、ケーブルテレビによって配信を受ける場合も、今後は増加していくと考えられている。
【０００４】
一方、一般的には、テレビジョン受像器において、放送チャンネルを選択する場合には、チャンネル番号に対応した番号を直接押し下げて選択する直接選択方法の他に、放送局が放送波を提供する際に割り当てられている周波数順に一定のキーボタン（例えば、チャンネルＵＰキーおよびチャンネルＤＯＷＮキー）によってチャンネル選択を行う方法、いわゆるチャンネル順選択があり、後者の方法は、自己の希望するチャンネルを選択する際に良く用いられている。
【０００５】
【発明が解決しようとする課題】
しかしながら、上述のような多チャンネルの放送の場合に、従来のテレビジョン受像機のようにチャンネル順選択を行う場合には、ユーザが希望するテレビ放送を短時間かつ容易に選択することができないという問題を有していた。
【０００６】
すなわち、多数の選択可能なチャンネルが存在するので、上位に配列された放送チャンネルから下位に配列された放送チャンネルまで順次選択を行うには選択に長時間を有し、操作性が悪いという問題が生じていた。
【０００７】
また、任意のチャンネルを予め特定のチャンネルが選択できるように設定する場合であっても、数百のチャンネルが存在する場合には、リモコンなどに全ての放送チャンネルに合わせて操作キーを用意することは困難であり、直接的に選択を行う場合には、好みのチャンネルを予め所定のキーに登録する必要があるので、煩わしい操作をしなければならないという問題が生じていた。
【０００８】
一方、衛星などから送信された放送波に、ＴＶ番組の映像・音声情報（以下、映像・音声データという）とは別に当該放送波に含まれる番組の内容に係る情報（ＳＩ：Service Information番組配列情報（以下、ＳＩ情報という））に基づいて電子番組ガイドを生成してＴＶディスプレイ上に表示させ、見たい番組を探すことができるようになっているが、チャンネル順、具体的には、放送局が放送波を提供する際に割り当てられている周波数順に番組表示を行うことになるとともに、一度にＴＶディスプレイに表示されるチャンネル数は限られているので、ユーザの希望する番組を容易に行うことができず、このため、当該希望するチャンネルを選択することが簡易にかつ迅速に行うことができないという問題が生じていた。
【０００９】
本発明は、上記の各問題点に鑑みて為されたもので、その課題は、チャンネル順選択においても容易・迅速かつ確実にユーザが希望するチャンネルを選択することができるチャンネル選択制御装置を提供することにある。
【００１０】
【課題を解決するための手段】
【００１４】
上記の課題を解決するために、請求項１に記載の発明は、表示装置に表示する放送チャンネルの選択制御を行うチャンネル選択制御装置であって、前記表示装置に表示する放送チャンネルの選択操作に用いられる操作手段と、各前記放送チャンネルの放送内容を一義的に示すジャンルの情報であるジャンル情報を取得する取得手段と、前記ジャンル情報に関連づけて前記放送チャンネルが選択される際の前記各放送チャンネルの序列を示すチャンネル選択リストを生成する生成手段と、前記操作手段と前記生成されたチャンネル選択リストとを対応づけて前記放送チャンネルの選択制御を行う制御手段と、を備え、前記取得手段が、各前記放送チャンネル毎に放送される各番組のジャンルを示す番組ジャンル情報および当該各番組の放送時間を示す放送時間情報を少なくとも含む番組情報を取得する番組情報取得手段と、前記各放送チャンネル毎に、前記番組ジャンル情報に基づいて前記各番組を分類するとともに当該分類された各ジャンルの放送時間を算出する算出手段と、
前記算出された各ジャンル毎の放送時間に基づいて前記各放送チャンネルのジャンルを決定する決定手段と、を有する構成を有している。
【００１５】
この構成により、請求項１に記載の発明では、ジャンル情報に基づいて放送チャンネルを選択する際のチャンネル選択リストを生成し、操作手段と当該チャンネル選択リストとを対応づけて放送チャンネルの選択制御を行い、各チャンネル毎に、ジャンル情報に基づいて各番組を分類するとともに当該分類された各ジャンルの放送時間情報を算出し、この算出された各ジャンルの放送時間に基づいて各放送チャンネルのジャンルを決定する。
【００１６】
したがって、ジャンル情報に関連づけられたチャンネル選択リストと操作手段の操作を対応させることにより、当該チャンネル選択リストに基づいて放送チャンネルを選択することができるので、放送チャンネルが提供されるために割り当てられた周波数により順次選択されるチャンネル順（通常のチャンネル順）などによらず、チャンネル順をジャンルに関係づけることができる。
【００１７】
この結果、ジャンルという指標によって放送チャンネルを選択する際の選択順序が決まるので、例えば、同一ジャンルの放送チャンネルを連続して選択することができるので、多チャンネルの放送を受信する表示装置であっても、所望のジャンルの放送チャンネルをもれなく選択することができるとともに、チャンネル選択を簡易にかつ迅速に行うことができ、ユーザの操作性を向上させることができる。また、各番組のジャンル情報および放送時間情報に基づいて各放送チャンネルのジャンルを決定することができ、容易にかつ確実に放送チャンネルのジャンル分け、すなわち、グループ分けを行うことができるので、ジャンル情報に関連づけられたチャンネル選択リストの生成が容易かつ確実にできる。
【００１８】
また、請求項２に記載の発明は、請求項２に記載のチャンネル選択制御装置において、前記生成手段が、前記ジャンル情報に基づいて前記ジャンル毎に前記各放送チャンネルを分類する分類手段を有するとともに、前記分類したジャンル毎に前記放送チャンネルを配列して前記チャンネル選択リストを生成する構成を有している。
【００１９】
この構成により、請求項２に記載の発明では、各放送チャンネルをジャンル毎に分類し、ジャンル毎に放送チャンネルを配列して前記チャンネル選択リストを生成する。
【００２０】
したがって、放送チャンネルをジャンル毎に配列させてチャンネル選択を行うことが可能となり、放送チャンネルを選択する際の操作性を向上させることができる。
【００２４】
また、請求項３に記載の発明は、請求項１又は２に記載のチャンネル選択制御装置において、前記取得手段が、ユーザが過去に選択した前記各放送チャンネルの情報を示す選択履歴情報を取得し、前記生成手段が、前記選択履歴情報に基づいて前記ジャンルおよび前記放送チャンネルの少なくとも何れか一方の優先度を設定するとともに、当該優先度に基づいて前記チャンネル選択リストを生成する構成を有している。
【００２５】
この構成により、請求項３に記載の発明では、各放送チャンネルの履歴情報を取得するとともに、各ジャンルおよび各放送チャンネルの優先度を設定し、当該優先度に基づいてチャンネル選択リストを生成する。
【００２６】
したがって、選択回数の多い若しくは過去の視聴時間が長い放送チャンネルをチャンネル選択リストの上位に配列することや最後に視聴した放送チャンネルをチャンネル選択リストの最上位に配列することなどによりチャンネル選択リストを生成することができるので、ユーザの嗜好に合わせてチャンネル選択リストを生成することができ、放送チャンネルを選択する際の操作性をさらに向上させることができる。
【００２７】
また、請求項４に記載の発明は、請求項３に記載のチャンネル選択制御装置において、前記選択履歴情報に過去に前記ユーザが各放送チャンネルを視聴した視聴時間を示す視聴時間情報を少なくとも含む構成を有している。
【００２８】
この構成により、請求項４に記載の発明では、ユーザが過去に視聴した各放送チャンネルの視聴時間に基づいてチャンネル選択リストを生成する際の各ジャンルまたは各放送チャンネルの優先度を設定することができるので、ユーザの嗜好に合わせてチャンネル選択リストを生成することができる。
【００２９】
また、請求項５に記載の発明は、請求項１乃至４の何れか一項に記載のチャンネル選択制御装置において、前記チャンネル選択リストを前記表示装置に表示する表示制御手段を有する構成をしている。
【００３０】
この構成により、請求項５に記載の発明では、生成したチャンネル選択リストを表示装置に表示することによって画面表示を確認しつつ放送チャンネルを選択することが可能となり、容易にかつ確実に放送チャンネルを選択することがき、さらなるユーザ支援を行うことができる。
【００３５】
また、請求項６に記載の発明は、表示装置に表示する放送チャンネルの選択制御を行うチャンネル選択制御方法であって、各前記放送チャンネルの放送内容を一義的に示すジャンルの情報であるジャンル情報を取得する取得処理工程と、前記ジャンル情報に関連づけて前記放送チャンネルが選択される際の前記各放送チャンネルの序列を示すチャンネル選択リストを生成する生成処理工程と、前記表示装置に表示する放送チャンネルの選択操作が行われたとき、前記生成されたチャンネル選択リストに対応づけて前記放送チャンネルの選択制御を行う選択制御工程と、を含み、前記取得処理工程には、各前記放送チャンネル毎に放送される各番組のジャンルを示す番組ジャンル情報および当該各番組の放送時間を示す放送時間情報を少なくとも含む番組情報を取得する番組情報取得処理工程と、前記各放送チャンネル毎に、前記番組ジャンル情報に基づいて前記各番組を分類するとともに当該分類された各ジャンルの放送時間を算出する算出処理工程と、前記算出された各ジャンル毎の放送時間に基づいて前記各放送チャンネルのジャンルを決定する決定処理工程と、を含む構成を有している。
【００３６】
この構成により、請求項６に記載の発明では、ジャンル情報に基づいて放送チャンネルを選択する際のチャンネル選択リストを生成し、操作手段などによって放送チャンネルの選択操作が行われたときに当該チャンネル選択リストに対応づけて放送チャンネルの選択制御を行い、各チャンネル毎に、ジャンル情報に基づいて各番組を分類するとともに当該分類された各ジャンルの放送時間情報を算出し、この算出された各ジャンルの放送時間に基づいて各放送チャンネルのジャンルを決定する。
【００３７】
したがって、ジャンル情報に関連づけられたチャンネル選択リストと操作手段などのチャンネル選択操作を対応させることにより、当該チャンネル選択リストに基づいて放送チャンネルを選択することができるので、放送チャンネルが提供されるために割り当てられた周波数により順次選択されるチャンネル順（通常のチャンネル順）などによらず、チャンネル順をジャンルに関係づけることができる。
【００３８】
この結果、ジャンルという指標によって放送チャンネルを選択する際の選択順序が決まるので、例えば、同一ジャンルの放送チャンネルを連続して選択することができるので、多チャンネルの放送を受信する表示装置であっても、所望のジャンルの放送チャンネルをもれなく選択することができるとともに、チャンネル選択を簡易にかつ迅速に行うことができ、ユーザの操作性を向上させることができる。また、各番組のジャンル情報および放送時間情報に基づいて各放送チャンネルのジャンルを決定することができ、容易にかつ確実に放送チャンネルのジャンル分け、すなわち、グループ分けを行うことができるので、ジャンル情報に関連づけられたチャンネル選択リストの生成が容易かつ確実にできる。
【００３９】
また、請求項７に記載の発明は、請求項６に記載のチャンネル選択制御方法において、前記生成処理工程においては、前記ジャンル情報に基づいて前記ジャンル毎に前記各放送チャンネルを分類するとともに、前記分類したジャンル毎に前記放送チャンネルを配列して前記チャンネル選択リストを生成する構成を有している。
【００４０】
この構成により、請求項７に記載の発明では、各放送チャンネルをジャンル毎に分類し、ジャンル毎に放送チャンネルを配列して前記チャンネル選択リストを生成する。
【００４１】
したがって、放送チャンネルをジャンル毎に配列させてチャンネル選択を行うことが可能となり、放送チャンネルを選択する際の操作性を向上させることができる。
【００４５】
また、請求項８に記載の発明は、請求項６又は７に記載のチャンネル選択制御方法において、前記取得処理工程においては、ユーザが過去に選択した前記各放送チャンネルの情報を示す選択履歴情報を取得し、前記生成処理工程においては、前記選択履歴情報に基づいて前記ジャンルおよび前記放送チャンネルの少なくとも何れか一方の優先度を設定するとともに、当該優先度に基づいて前記チャンネル選択リストを生成する構成を有している。
【００４６】
この構成により、請求項８に記載の発明では、各放送チャンネルの履歴情報を取得するとともに、各ジャンルおよび各放送チャンネルの優先度を設定し、当該優先度に基づいてチャンネル選択リストを生成する。
【００４７】
したがって、選択回数の多い若しくは過去の視聴時間が長い放送チャンネルをチャンネル選択リストの上位に配列することや最後に視聴した放送チャンネルをチャンネル選択リストの最上位に配列することなどによりチャンネル選択リストを生成することができるので、ユーザの嗜好に合わせてチャンネル選択リストを生成することができ、放送チャンネルを選択する際の操作性をさらに向上させることができる。
【００４８】
また、請求項９に記載の発明は、請求項８に記載のチャンネル選択制御方法において、前記選択履歴情報に過去に前記ユーザが各放送チャンネルを視聴した視聴時間を示す視聴時間情報を少なくとも含む構成を有している。
【００４９】
この構成により、請求項９に記載の発明では、ユーザが過去に視聴した各放送チャンネルの視聴時間に基づいてチャンネル選択リストを生成する際の各ジャンルまたは各放送チャンネルの優先度を設定することができるので、ユーザの嗜好に合わせてチャンネル選択リストを生成することができる。
【００５０】
また、請求項１０に記載の発明は、請求項６乃至９のチャンネル選択制御方法において、前記チャンネル選択リストを前記表示装置に表示する表示制御工程を含む構成を有している。
【００５１】
この構成により、請求項１０に記載の発明では、生成したチャンネル選択リストを表示装置に表示することによって画面表示を確認しつつ放送チャンネルを選択することが可能となり、容易にかつ確実に放送チャンネルを選択することがき、さらなるユーザ支援を行うことができる。
【００５６】
また、請求項１１に記載の発明は、コンピュータによって、表示装置に表示する放送チャンネルの選択制御を行うチャンネル選択制御プログラムであって、前記コンピュータを、各前記放送チャンネルの放送内容を一義的に示すジャンルの情報であるジャンル情報を取得する取得手段、前記ジャンル情報に関連づけて前記放送チャンネルが選択される際の前記各放送チャンネルの序列を示すチャンネル選択リストを生成する生成手段、前記表示装置に表示する放送チャンネルの選択操作が行われたときに、前記生成されたチャンネル選択リストに対応づけて前記放送チャンネルの選択制御を行う制御手段、として機能させ、前記取得手段が、各前記放送チャンネル毎に放送される各番組のジャンルを示す番組ジャンル情報および当該各番組の放送時間を示す放送時間情報を少なくとも含む番組情報を取得する番組情報取得手段と、前記各放送チャンネル毎に、前記番組ジャンル情報に基づいて前記各番組を分類するとともに当該分類された各ジャンルの放送時間を算出する算出手段と、前記算出された各ジャンル毎の放送時間に基づいて前記各放送チャンネルのジャンルを決定する決定手段と、を有する構成を有している。
【００５７】
この構成により、請求項１１に記載の発明では、ジャンル情報に基づいて放送チャンネルを選択する際のチャンネル選択リストを生成し、操作手段などによって放送チャンネルの選択操作が行われたときに当該チャンネル選択リストに対応づけて放送チャンネルの選択制御を行い、各チャンネル毎に、ジャンル情報に基づいて各番組を分類するとともに当該分類された各ジャンルの放送時間情報を算出し、この算出された各ジャンルの放送時間に基づいて各放送チャンネルのジャンルを決定する。
【００５８】
したがって、ジャンル情報に関連づけられたチャンネル選択リストと操作手段などのチャンネル選択操作を対応させることにより当該チャンネル選択リストに基づいて放送チャンネルを選択することができるので、放送チャンネルが提供されるために割り当てられた周波数により順次選択されるチャンネル順（通常のチャンネル順）などによらず、チャンネル順をジャンルに関係づけることができる。
【００５９】
この結果、ジャンルという指標によって放送チャンネルを選択する際の選択順序が決まるので、例えば、同一ジャンルの放送チャンネルを連続して選択することができるので、多チャンネルの放送を受信する表示装置であっても、所望のジャンルの放送チャンネルをもれなく選択することができるとともに、チャンネル選択を簡易にかつ迅速に行うことができ、ユーザの操作性を向上させることができる。また、各番組のジャンル情報および放送時間情報に基づいて各放送チャンネルのジャンルを決定することができ、容易にかつ確実に放送チャンネルのジャンル分け、すなわち、グループ分けを行うことができるので、ジャンル情報に関連づけられたチャンネル選択リストの生成が容易かつ確実にできる。
【００６０】
【発明の実施の形態】
次に、本発明に好適な実施の形態について、図面に基づいて説明する。
【００６１】
なお、以下に説明する各実施の形態は、衛星デジタル放送受信機に対して本発明に係るチャンネルジャンル決定装置を適用した場合の実施形態であり、図１〜図１３は、本発明に係るチャンネルジャンル決定装置の一実施形態を示す図である。
【００６２】
〔衛星デジタル放送受信機の構成と概要動作〕
まず、図１、図２を用いて本実施形態における構成および概要動作について説明する。
【００６３】
なお、図１は、本発明の一実施形態にかかる衛星デジタル放送受信機の構成を示す図であり、図２は、本発明の受信機の操作装置であるリモコン装置の外観図である。
【００６４】
図１に示す衛星デジタル放送受信機（以下、単に受信機という）１００は、視聴者の家庭に配置され、ＢＳ放送またはＣＳ放送など衛星からのデジタル放送信号（放送波）を受信してテレビジョン（ＴＶ）番組を家庭のテレビジョン放送受信機の画面上に表示するようになっており、同時に衛星から送られる番組内容を示す番組情報、例えば、例えば、ＳＩ情報の一部であるＥＩＴ情報（Event Information Table）情報を受信し、当該ＥＩＴ情報に基づいて放送チャンネルのジャンル決定（以下、ジャンル決定処理という）および電子番組ガイド（ＥＰＧ）の表示制御を行うようになっている。
【００６５】
なお、本実施形態では、ＢＳ放送またはＣＳ放送を受信する衛星デジタル放送受信機について説明するが、ＣＡＴＶ（Cable Television）などの有線テレビジョン放送の受信に適用することも可能である。
【００６６】
図１に示すように、受信機１００は、バス１０１に種々の要素が接続された構成を有しており、また、操作装置としての付属のリモコン装置１０２により操作可能に構成されている。
【００６７】
この受信機１００は、アンテナ１０３を介して衛星から送信された放送波を受信するチューナ１０４と、チューナ１０４によって抽出されたデジタル信号の復調処理を行う復調処理部１０５と、ユーザ契約情報などに基づいて放送波の受信限定処理を行う限定受信処理部１０６と、指定されたサービスにおける音声データと映像データを復調されたデジタル信号から抽出するデマルチプレクサ１０７と、抽出した映像データをデコードして番組映像データを生成するビデオデコーダ１０８と、デコードされた映像信号ＥＰＧ表示データおよび後述するチャンネル選択リストを映像信号に変換するディスプレイプロセッサ１０９と、抽出した音声データをデコードして番組音声データを生成するオーディオデコーダ１１０と、デコードされた音声信号の音声処理を行う音声処理部１１１と、映像・音声データをそれぞれ表示および拡声するＴＶディスプレイ１１２と、リモコン装置１０２によって指示信号を入力するインターフェース（以下、Ｉ／Ｏという）１１３と、所定のグラフィックデータおよびテキストデータをそれぞれ格納するフラッシュメモリ１４およびＲＯＭ１１５と、後述するジャンル決定処理、チャンネル選択制御によって使用するデータを格納するＲＡＭ１１６と、リモコン装置１０２によって選択されたチャンネルの映像・音声データをＴＶディスプレイ２０２に表示するため、各部を制御するとともに後述する各放送チャンネルのジャンル決定処理およびチャンネル選択制御に基づいて各部を制御する制御部１１７と、を備えている。
【００６８】
なお、チューナ１０４、復調処理部１０５、デマルチプレクサ１０７は、本発明に係る取得手段、番組情報取得手段を構成するとともに、制御部１１７は、本発明に係る取得手段、生成手段、分類手段、決定手段、番組情報取得手段、算出手段および表示制御手段を構成する。
【００６９】
バス１０１には、モデム１０８を介して公衆回線、例えば、電話公衆網回線やインターネット回線が接続されており、ユーザ宅の電話やパソコンなどと接続し、放送局と視聴者家庭との間の必要な通信が行えるようになっている。
【００７０】
リモコン装置１０２は、図２に示すように、リモコン装置１０２の上部に設けられた機能キー５０１〜５０８と、当該リモコン装置１０２のほぼ中央に配置されたカーソル移動キー５０９〜５１２と、決定キー５１３と、放送チャンネルの番号を入力する入力キー５１４と、音量の上下を行う音量キー５１５と、チャンネルを後述するチャンネル選択リストに基づいて順番に選択するＵＰキーおよびＤＯＷＮキーのチャンネルキー５１６、５１７と、から構成される。
【００７１】
なお、各機能キー５０１〜５０８は、ＥＰＧ操作などを行うためのキーであり、このキーを押し下げることによって、例えば、ＥＰＧ番組表の表示制御等が行えるようになっている。また、カーソル移動キー５０９〜５１２および決定キー５１３は、基本的には、ＥＰＧ表示時のチャンネル選択等に用いられるようになっている。
【００７２】
チューナ１０４は、アンテナ１０３を介して衛星から送信された放送波（例えば、ＲＦ信号）を受信するようになっており、ユーザの選択した受信帯域に同調して受信した信号波をデジタル信号であるＩＦ（中間周波数）信号に変換し、復調処理部１０５に出力するようになっている。
【００７３】
なお、この放送波には、上述したように、ＴＶ番組の映像・音声情報である映像・音声データと、ジャンル決定処理のために使用されるＥＩＴ情報と、が含まれている。
【００７４】
復調処理部１０５は、入力されたデジタル信号を復調し、データフレームの再構成及び誤り訂正などの必要な処理を施し、暗号解読処理部（デスクランブラ）２００を介して、ＭＰＥＧ２のトランスポートストリーム（以下、ＴＳ：Transport Streamという）形式でデータを、限定受信処理部１０６を介してデマルチプレクサ１０７に供給するようになっている。
【００７５】
限定受信処理部１０６は、ユーザ契約情報などに基づいて放送波の受信限定処理を行うようになっており、具体的には以下の処理を行うようになっている。
【００７６】
この限定受信処理部１０６は、事前契約型の限定放送がサービス単位又は番組単位で行われ、対象となるＭＰＥＧ２のＴＳが暗号化され送信されるようになっているため、デスクランブラ２００と、契約情報を記録し、視聴判定を行うＩＣカード２０１と、から構成されるようになっている。
【００７７】
このＩＣカード２０１は、放送事業者共同運営のサービスセンターから各受信機ユーザへ配布され、このカードにはユーザと各放送事業者との契約状況に応じてユーザ契約情報が記載されており、一般に各ユーザ毎にその記載内容が異なっている。したがって、ユーザが限定放送番組を選択した場合、限定受信処理部１０６はユーザ契約情報と放送波から得られる暗号解読関連情報の双方を用い、ユーザが契約している場合にはＭＰＥＧ２のＴＳの暗号解読を行い、ユーザはこの番組を視聴できるようになっている。一方、非契約の場合にはＭＰＥＧ２のＴＳの暗号解読は行われず、ユーザはこの限定放送番組を視聴できないようになっている。また、ペイ・パー・ビュー（Ｐａｙ  Ｐｅｒ  Ｖｉｅｗ）番組の場合には、ユーザが番組を購入する度にＩＣカード２０１に購入状況が記載され、一定期間毎に受信機側からモデム１０８、公衆回線を介して放送配信事業者側にペイ・パー・ビュー番組購入情報を送信するようになっている。
【００７８】
デマルチプレクサ１０７は、入力されたＭＰＥＧ２のＴＳから、指定されたサービスの音声データと映像データとを抽出し、それぞれオーディオデコーダ１０とビデオデコーダ８に供給するようになっている。
【００７９】
また、デマルチプレクサ１０７は、ＥＩＴ情報および各部を制御する制御データを、入力されたＭＰＥＧ２のＴＳから抽出するようになっており、この抽出したＥＩＴ情報を制御部１１７の制御下において当該制御部１１７および記憶手段であるＲＡＭ１１６に出力するようになっている。
【００８０】
なお、音声データはＭＰＥＧ２−Ａｕｄｉｏ形式であり、映像データはＭＰＥＧ２−Ｖｉｄｅｏ形式である。また、ＥＰＧ表示処理及び領域表示処理は当該ＥＩＴ情報を利用して行われる。
【００８１】
ビデオデコーダ１０８は、デマルチプレクサ１０７によって抽出された映像データが入力されるようになっており、この入力された映像データを復号して番組映像データを生成するとともに、この生成されたデータをディスプレイプロセッサ１０９に供給するようになっている。
【００８２】
ディスプレイプロセッサ１０９には、デコードされた映像データが入力されるようになっており、このディスプレイプロセッサ１０９は、この入力された番組映像データに所定の処理を施して、映像出力を行うようになっている。
【００８３】
また、ディスプレイプロセッサ１０９は、ＴＶディスプレイ１１２の画面に表示させるよう番組映像上に文字情報などを重畳させる機能を有しており、後述するチャンネル選択リスト、および、ＥＰＧ表示用データ及び座標データを、番組映像データ上に重畳し、又は番組映像データと置き換えられて出力するようになっている。
【００８４】
オーディオデコーダ１１０には、デマルチプレクサ１０７によって抽出された音声データが入力されるようになっており、このオーディオデコーダ１１０は、入力された音声データを復号化して番組音声データを生成し、この番組音声データを音声処理部１１１に供給するようになっている。
【００８５】
音声処理部１１１は、音声信号を増幅するアンプを有しており、入力された音声信号に所定の音声信号処理を行ってＴＶディスプレイ１１２に音声出力を行うようになっている。
【００８６】
制御部１１７は、主にＣＰＵによって構成されており、ユーザがリモコン装置１０２を使用して入力した指示信号に基づいてユーザの操作を認識するようになっている。したがって、この制御部１１７は、ユーザの指示に従って受信機１００内の各要素を制御するようになっており、例えば、ユーザが指定したチャンネルの周波数に同調するための指示をチューナ１０４に送るようになっている。
【００８７】
また、制御部１１７には、デマルチプレクサ１０７から出力されたＥＩＴ情報が入力されるようになっており、このＥＩＴ情報に基づいて後述する各放送チャンネルの内容を一義的に示すジャンルを決定するジャンル決定処理、ジャンル毎のチャンネル順選択を行うためのチャンネル選択制御を行うようになっている。
【００８８】
なお、ＥＩＴ情報の詳細について、並びに、ジャンル決定処理およびチャンネル選択制御の詳細については後述する。
【００８９】
受信機１００は、このような構成を有することによって、放送波を受信するとともに、リモコン装置１０２によって選択されたチャンネルのＴＶ番組を表示および拡声するようになっている。
【００９０】
また、受信機１００が、ＥＰＧの表示の際を行うには、制御部１１７によって、ＲＡＭ１６に記憶されているＥＩＴ情報を元にしてＥＰＧテキストデータ、リモコン装置１０２の数字キーの各設置位置に対応して分割された番組表表示面の各座標データを生成するとともに、フラッシュメモリ１４内に記憶されている番組表の枠データなどのグラフィックデータ、ＲＯＭ１５内のフォントデータ、ＲＡＭ１６内のＥＰＧテキストデータ及び番組表表示面の各座標データに基づいてＥＰＧ表示用データを生成するようになっており、制御部１７からの切換指示に基づいて、ビデオデコーダ１０８からの番組映像データとＥＰＧ表示用データとを切り換え、又は番組データ上にＥＰＧ表示用データ及び上記座標データを重畳し、映像信号としてＴＶディスプレイ１１２に出力するようになっている。
【００９１】
〔番組情報（ＥＩＴ情報）〕
次に、図３を用いて衛星から送信されるデジタル信号および当該デジタル信号に含まれる番組情報について説明する。
【００９２】
なお、図３は、ＣＳ放送におけるデジタル信号のデータ形式の概略図であり、図４は、放送波に含まれるＥＩＴ情報の構成を示す一例である。また、図５および図６は、コンテントニブルおよびユーザニブルによってジャンルを特定する際のコンテントニブルおよびユーザニブルとジャンルの対応例を示す図である。
【００９３】
また、本実施形態では、ＣＳデジタル放送、すなわち、ＥＩＴ情報を用いて番組情報を説明するとともに、衛星放送における周波数帯域の場合を「ＣＳチャンネル」と呼び、受信機１００が受信する各放送番組の放送チャンネルと区別する。
【００９４】
図３に示すように、衛星デジタル放送システムでは、複数のチャンネル（帯域）が設定され、各ＣＳチャンネル毎に１つのＭＰＥＧ２のＴＳを送信することができるようになっており、この１つのＴＳにより複数の、例えば４〜６つのサービスを送信することが可能になっている。すなわち、１つのＴＳには複数の放送チャンネルがそれぞれ提供する番組（プログラム）が多重されている。
【００９５】
ＣＳ放送の場合は、複数のＣＳチャンネルのうち何れか１つのＣＳチャンネル、例えば、ＣＳチャンネル１の中に、各放送チャンネル用（１００ｃｈ用、１０１ｃｈ用、１０２ｃｈ用）の映像・音声データおよび所定の制御を行う制御データの他に、全放送チャンネルのＥＩＴ情報、すなわち、全放送チャンネルの１週間分のＥＩＴ情報（以下、スケジュールＥＩＴ情報という）と現在放送中および次に放送予定の番組におけるＥＩＴ情報（以下、チャンネルＥＩＴ（ｃｈ−ＥＩＴ）情報という）が多重されている。
【００９６】
スケジュールＥＩＴ情報とは、一定期間内に今後放送が予定される全ての放送チャンネルにおける全番組のＥＩＴ情報であり、具体的には、全ての放送チャンネルの分の各番組におけるジャンル情報（ニブル）、放送開始時間および放送時間長のＥＩＴ情報（以下、番組ＥＩＴ情報という）をいう。
【００９７】
また、この番組ＥＩＴ情報４００は、例えば、全放送チャンネル毎の各番組毎に図４（ａ）（ｂ）に示すような情報を有しており、提供されるチャンネル番号（ｃｈ番号）４０１の他、さまざまな情報が含まれている。
【００９８】
特に、この番組ＥＩＴ情報には、放送開始時間および放送時間長を示す時間情報４０２、ジャンルを分類するためのジャンルコードを有するニブル４０３、番組宣伝など受像機１００に表示するキャラクターデータ４０４および番組名を示す番組名情報４０５などを含んでいる。
【００９９】
例えば、図４（ａ）のＥＩＴ情報は、２１５チャンネルにおいて、１９９９年４月１日  ７：００〜  ２４時間  番組名「ゲーム」、ジャンル「レジャー：コンピュータ／ＴＶゲーム」（ユーザニブル）を示している。また、図４（ｂ）のＥＩＴ情報は、２５１チャンネルにおいて、１９９９年４月１日  １５：３０〜３０分間  番組名「ニュース／スポーツ」、ジャンル「ニュース／報道：総合」（ユーザニブル）を示している。
【０１００】
ニブル４０３とは、ジャンルを決定するためのジャンルコードの１の種類であり、このニブル４０３は、コンテントニブル（Content nibble）、ユーザニブル(user nibble)など放送形態や放送事業者などにより定められ、数種類のニブルが規格化されている。
【０１０１】
図５、図６に示すように、コンテントニブルおよびユーザニブルは、各ニブルとも２種類のニブル、すなわち、ニュースやドラマ、スポーツといった大まかなジャンルを示す大分類と、具体的なジャンルの内容、スポーツであれば、ゴルフ・野球といったようなことを示す中分類とがあり、この２種類のニブルに基づいてジャンルが特定できるようになっている。
【０１０２】
このように、本実施形態では、受信機１００において、常に、他のチャンネルを視聴している場合であっても、ＣＳチャンネル１を受信することにより、一週間分の全チャンネルの番組ＥＩＴ情報を取得することができるようになっており、各取得した番組ＥＩＴ情報４００は、制御部１１７の指示に基づいて各放送チャンネル毎に時間情報４０２、ニブル４０３および番組名情報４０５をＲＡＭ１１６に格納するとともに、ＥＰＧを行うときは所定の処理を行うようになっている。
【０１０３】
なお、本実施形態では、ＣＳデジタル放送におけるＥＩＴ情報を例示して説明したが、有線テレビジョン放送においてもＥＩＴ情報が提供されており、有線テレビジョン方法では、図７に示すように、スケジュールＥＩＴ情報、すなわち、全放送チャンネルの１週間分のＥＩＴ情報が何れかのＣＡチャンネル（例えば、ＣＡチャンネル３）によって制御データとともに提供されるようになっている。
【０１０４】
また、本実施形態では、ＣＳデジタル放送におけるＥＩＴ情報に基づいて説明したが、勿論、ＢＳデジタル放送におけるＳＩ情報も番組情報として適用可能である。
【０１０５】
〔チャンネルジャンルの決定処理およびジャンル経験値の算出処理〕
次に、図８を用いて上述したＥＩＴ情報に基づいて各放送チャンネルのチャンネルジャンルを決定するチャンネルジャンルの決定処理（以下、ジャンル決定処理という）、および、当該ジャンル決定処理における過去のジャンル経験値を算出する処理（以下、ジャンル経験値の算出処理という）について説明する。
【０１０６】
なお、図８は、本実施形態においてジャンル決定処理の動作を示すフローチャートであり、図９は、１週間毎に算出するジャンル経験値の算出処理の例を説明するための図である。
【０１０７】
また、当該ジャンル決定処理は、制御部１１７において行われているようになっており、予め設定された時間毎またはユーザが指定した時に当該ジャンル決定処理を行うとともに、各放送チャンネル毎にジャンルを決定するようになっている。例えば、１日に１度、１週間に１度、若しくは、１ヶ月に１度毎に、または、ユーザが任意に指定してときにジャンル決定処理を行うようになっている。ただし、本実施形態では１週間に一度指定された時間に当該ジャンル決定処理を行うものとする。
【０１０８】
まず、予め定められた指定時間であるか、または、ユーザによりリモコン装置１０２などの所定のキーボタンが押し下げられたか否かを判断する（ステップＳ１１）。
【０１０９】
次いで、当該ジャンル決定処理を行う時間であること、または、ユーザによるキーボタンの押し下げされたことを認識した場合には、取得した全放送チャンネルの１週間分の番組ＥＩＴ情報をＲＡＭ１１６から取得する（ステップＳ１２）。
【０１１０】
なお、全放送チャンネルの１週間分の番組ＥＩＴ情報は、ＲＡＭ１１６に一定の時間毎に更新して格納しておくようになっているが、これに限るものでなく、当該ジャンル決定処理が行われる前までに最新の番組ＥＩＴ情報がＲＡＭ１１６に格納されていればよい。
【０１１１】
次いで、以下に示す処理を放送チャンネル毎に行う。
【０１１２】
まず、ＲＡＭ１１６に格納された各放送チャンネルのジャンル経験値を取得する（ステップＳ１３）。このジャンル経験値とは、過去に決定された各放送チャンネルのジャンルに基づいて算出された値であり、例えば、前回ジャンル決定処理時に算出されたジャンル順位によって定められた値である。なお、このジャンル経験値の算出方法の詳細については後述する。
【０１１３】
次いで、全放送チャンネルの番組ＥＩＴ情報および各放送チャンネル毎に取得されたジャンル経験値に基づいて各放送チャンネルおけるジャンル毎の総放送時間を算出する（ステップＳ１４）。
【０１１４】
次いで、各放送チャンネル毎に、総放送時間が一番多いジャンルが一週間の総放送時間における一定の割合、例えば５０％以上か否かを判断する（ステップＳ１５）。５０％以上の場合には、その放送チャンネルのジャンルにその一番放送量があるジャンルを決定して（ステップＳ１６）、当該ジャンル決定処理を繰り返すため、ステップＳ１１に戻る。一方、５０％より低い場合には、その放送チャンネルのジャンルを「総合」ジャンルに決定して（ステップＳ１７）、当該ジャンル決定処理を繰り返すため、ステップＳ１１に戻る。
【０１１５】
次に、上述したジャンル経験値の算出処理について説明する。
【０１１６】
なお、当該ジャンル経験値の算出処理は制御部１１７によって行われるようになっている。
【０１１７】
本実施形態では、一の放送チャンネルのジャンルを決定する場合に用いられた各ジャンルの算出された放送時間に基づいて当該各放送チャンネル毎に各ジャンルのジャンル経験値を算出するようになっている。
【０１１８】
具体的には、本実施形態では、上述のように、ジャンル決定処理を行う場合に、当該放送チャンネルにおいて総放送時間が一番多いジャンルを放送チャンネルのジャンルに決定するようになっており、ジャンル経験値を算出する場合には、このとき算出された各ジャンルの時間を用いるようになっている。
【０１１９】
すなわち、ジャンル決定処理において各チャンネルのジャンルを決定する際に各ジャンルにおける放送時間が算出されているので、この各順位に基づいて予め定められた係数を付与し、当該付与した係数をジャンル経験値としてＲＡＭ１１６に放送チャンネルに関連付けて格納するようになっている。
【０１２０】
例えば、本実施形態では、以下に示す（式１）により当該係数を算出するようになっている。
係数  ＝  ＥＸＰ（（１―順位）／ｘ）        ・・・（式１）
ただし、ｘは重み付け関数であり、例えば、本実施形態ではｘ＝４とする。
【０１２１】
このようにジャンル決定処理およびジャンル経験値算出処理を行うことにより、各放送チャンネルのジャンルを決定するようになっている。
【０１２２】
次に、図９を用いて上述のジャンル決定処理およびジャンル経験値算出処理の一例を示す。
【０１２３】
図９（ａ）に示すように、全放送チャンネルの前回のジャンル経験値を１として（前回のジャンル経験値が無い場合など）、各ジャンルの放送時間が、１００ｃｈにおいて、ニュース６５０時間、音楽２５０時間、アニメ２００時間、１０１ｃｈにおいて、映画７００時間、ニュース２００時間、音楽２００時間、および、１０２ｃｈにおいて、音楽４００時間、映画３５０時間、ニュース３５０時間と各ジャンルの総放送時間が算出されたとすると、１００ｃｈでは、
ニュース放送時間      ＝    ６５０  ×  １    ＝    ６５０時間
音楽放送時間          ＝    ２５０  ×  １    ＝    ２５０時間
アニメ放送時間        ＝    ２００  ×  １    ＝    ２００時間
より、当該１００ｃｈのジャンルをニュースに決定し、ニュース、音楽、アニメのジャンル経験値を、それぞれ、１、０．７８、０．６１に設定する。同様に、１０１ｃｈでは、
映画放送時間          ＝    ７００  ×  １    ＝    ７００時間
ニュース放送時間      ＝    ２００  ×  １    ＝    ２００時間
音楽放送時間          ＝    ２００  ×  １    ＝    ２００時間
より、ジャンルを映画に決定し、映画、ニュース、音楽のジャンル経験値を、それぞれ、１、０．７８、０．７８に設定し、１０２ｃｈでは、
音楽放送時間          ＝    ４００  ×  １    ＝    ４００時間
映画放送時間          ＝    ３５０  ×  １    ＝    ３５０時間
ニュース放送時間      ＝    ３５０  ×  １    ＝    ３５０時間
より、ジャンルを音楽に決定し、音楽、映画、ニュースのジャンル経験値を、それぞれ、１、０．７８、０．７８に設定する。
【０１２４】
次いで、さらに一定期間後、例えば、一週間後に、ジャンル決定処理およびジャンル経験値算出処理を行うときは、上述の各チャンネルのジャンル経験値に基づいてジャンル決定処理を行うようになっている。
【０１２５】
例えば、図９（ｂ）に示すように、各ジャンルの放送時間が、１００ｃｈにおいて、ニュース５００時間、音楽６００時間、１０１ｃｈにおいて、映画３００時間、ニュース６００時間、音楽２００時間、および、１０２ｃｈにおいて、音楽７５０時間、映画３５０時間とすると、１００ｃｈでは、
ニュース放送時間      ＝    ５００  ×  １        ＝    ５００時間
音楽放送時間          ＝    ６００  ×  ０．７８  ＝    ４６８時間
より、ジャンルをニュースに決定し、ニュース、音楽のジャンル経験値を、それぞれ、１、０．７８に設定し、アニメは、最下位の０．６１に設定する。同様に、１０１ｃｈでは、
映画放送時間          ＝    ３００  ×  １        ＝    ３００時間
ニュース放送時間      ＝    ６００  ×  ０．７８  ＝    ４６８時間
音楽放送時間          ＝    ２００  ×  ０．７８  ＝    １３６時間
より、ジャンルをニュースに決定し、ニュース、映画、音楽のジャンル経験値を、それぞれ、１、０．７８、０．６１に設定し、１０２ｃｈでは、
音楽放送時間          ＝    ７５０  ×  １        ＝    ７５０時間
ニュース放送時間      ＝    ３５０  ×  ０．７８  ＝    ２７３時間
より、ジャンルを音楽に決定し、音楽、ニュースのジャンル経験値を、それぞれ、１、０．７８に設定し、映画は、最下位の０．６１に設定する。
【０１２６】
以上のように、放送チャンネル毎にジャンルの決定およびジャンル経験値の設定を行うようになっており、ジャンル経験値の算出処理は、ジャンル決定処理が行われる毎に行われるようになっている。
【０１２７】
なお、本実施形態では、ジャンル経験値の設定において、放送時間が同位の場合には、同じ経験値を付与するようになっているが、例えば、その前回までの順位によって序列をつけてもよい。また、２回目以降のジャンル決定処理において放送時間が無いジャンルについては、最下位に設定しているが、これに限らず、他の方法により、放送時間のない、または、一定の時間に満たないジャンルのジャンル経験値を算出してもよい。
【０１２８】
〔チャンネル選択制御〕
次に、図１０〜図１３を用いてチャンネル選択リストに基づいてユーザが放送チャンネルを選択する際のチャンネル選択を行う制御動作について説明する。
【０１２９】
なお、図１０は、履歴情報取得処理の動作を示すフローチャートであり、図１１および図１２は、本実施形態におけるジャンル毎にチャンネル選択リストを生成する生成処理を説明するための図である。
【０１３０】
また、図１３は、本実施形態におけるチャンネル選択制御動作を示すフローチャートである。
【０１３１】
本実施形態では、上述したジャンル決定処理によって決定された各放送チャンネルのジャンルおよびユーザが過去に選択した放送チャンネルの視聴履歴を示す情報（以下、視聴履歴情報という）に基づいてチャンネル選択リストを生成するとともに、当該チャンネル選択リストと本発明の受信機１００の操作装置であるリモコン装置１０２の操作キー、例えば、ＵＰキー５１６、ＤＯＷＮキー５１７とを対応させることにより、同一ジャンル毎に放送チャンネルをＵＰキー５１６、ＤＯＷＮキー５１７によって連続して検索・選択することができるようになっている。
【０１３２】
具体的には、本実施形態では、上述したようにジャンル決定処理によって分類された各放送チャンネルをジャンル毎に分類するとともに、分類された各放送チャンネルの視聴履歴情報に基づいて優先度を設定し、当該各放送チャンネルの序列を付けてチャンネル選択リストを生成するようになっている。
【０１３３】
この視聴履歴情報とは、ユーザが過去に視聴した各放送チャンネルの視聴時間の情報をいい、本実施形態では、制御部１１７によって行われる視聴履歴情報の取得処理によって各放送チャンネルの視聴時間の情報（以下、視聴時間情報という）を取得するようになっている。
【０１３４】
ここで、図１０を用いて本実施形態における視聴履歴情報の取得処理について説明する。
【０１３５】
本実施形態では、任意の放送チャンネルが選択されている場合に、選択され、ＴＶディスプレイ１２２に表示された時から予め定められた時間、例えば５秒間経過した場合に、カウントを開始し、一定の時間毎、例えば５分毎または１０分毎に当該放送チャンネルの履歴カウントをアップするようになっており、これによって各放送チャンネルの視聴時間を取得するようになっている。
【０１３６】
また、本実施形態では、各放送チャンネルの履歴カウントのアップの他、各放送チャンネルが属するジャンルの履歴カウントのアップも行うようになっており、各放送チャンネルの視聴時間情報とともに、各放送チャンネルが属するジャンル毎に視聴時間情報を取得することによってチャンネル選択リストを生成するようになっている。以下に、視聴履歴情報、すなわち視聴時間情報の取得処理の動作を示す。
【０１３７】
なお、この取得処理動作は、制御部１１７によって行われるようになっており、取得した各放送チャンネル毎および各ジャンル毎の視聴時間情報はＲＡＭ１１６に格納され、後述するチャンネル選択制御動作時に読み出されるようになっている。
【０１３８】
まず、任意の放送チャンネルが選択（ＴＶディスプレイ１２２に表示）されたことが認識されると（ステップＳ２１）、図示しない当該制御部１１７の内部に設けられているタイマーによって予め定められた指定時間、例えば５秒間選択（表示）し続けたかを判断する（ステップＳ２２）。
【０１３９】
次いで、予め定められた指定時間当該放送チャンネルが選択し続けられたことが判断されると、当該選択されている放送チャンネルの履歴カウントをアップするとともに（ステップＳ２３）、当該放送チャンネルが属するジャンルの履歴カウントをアップする（ステップＳ２４）。
【０１４０】
次いで、当該放送チャンネルが継続して視聴されているか判断するとともに（ステップＳ２５）、継続して視聴されていると判断された場合には、一定時間、例えば、５分経過したか否かを判断し（ステップＳ２６）、一定時間、すなわち、５分間継続視聴した場合に当該放送チャンネルおよび当該放送チャンネルが属するジャンルのカウントアップを行うためステップＳ２３に戻り、繰り返し履歴カウンタがカウントアップされる。
【０１４１】
なお、ステップＳ２５のときに継続して視聴されていないと判断されたときは、ステップＳ２１に戻るようになっている。
【０１４２】
本実施形態では、このように視聴時間情報、すなわち、視聴履歴情報を取得するようになっており、この視聴履歴情報は、ＲＡＭ１１６に各放送チャンネル毎、各ジャンル毎に格納されるようになっている。
【０１４３】
次に、図１１および図１２を用いてチャンネル選択リスト生成処理について説明する。
【０１４４】
本実施形態では、制御部１１７によってジャンル毎に分類し、各ジャンル毎に分類した後に、各ジャンル毎および各放送チャンネル毎に視聴時間情報を取得してチャンネル選択リストを生成するようになっている。
【０１４５】
具体的には、まず、上述したチャンネルジャンル決定処理によって決定された各放送チャンネルのジャンル情報に基づいて各放送チャンネルをジャンル毎に分類するようになっている。
【０１４６】
制御部１１７は、図１１（ａ）に示すように、放送事業者（複数のテレビジョン放送を提供する放送事業者、例えば、ＣＳデジタル放送を提供する放送事業者）Ａによって１００ｃｈ、１０５ｃｈ、１０６ｃｈ、１１０ｃｈ、１１５ｃｈ、２００ｃｈが提供されるとともに、放送事業者（例えば、ＣＳデジタル放送を提供する放送事業者Ａとは別の放送事業者）Ｂによって１００ｃｈ、１０５ｃｈ、１２０ｃｈ、１３０ｃｈが提供されている場合であって、上述したチャンネル決定処理において、放送事業者Ａにおける１００ｃｈがニュース、１０５ｃｈがアニメ、１０６ｃｈがスポーツ、１１０ｃｈが音楽、１１５ｃｈが映画および２００ｃｈが音楽と決定するとともに、放送事業者Ｂにおける１００ｃｈが映画、１０５ｃｈがニュース、１２０ｃｈがスポーツおよび１３０ｃｈがアニメと決定された場合には、図１１（ｂ）に示すように、各放送チャンネルをジャンル毎に並べ替えるようになっている。
【０１４７】
次に、本実施形態では、制御部１１７によって上述したようにユーザの視聴履歴情報である視聴時間情報を取得して、当該視聴時間情報に基づいて分類された各放送チャンネルを並べ替えてチャンネル選択リストを生成するようになっている。
【０１４８】
例えば、制御部１１７が、上述した視聴時間取得処理によって、図１２（ａ）に示すように、視聴時間情報を、ニュース▲１▼（放送事業者Ａ：１００ｃｈ）１００時間、ニュース▲２▼（放送事業者Ｂ：１０５ｃｈ）８０時間、音楽▲１▼（放送事業者Ａ：１１０ｃｈ）１０時間、音楽▲２▼（放送事業者Ａ：２００ｃｈ）０時間、アニメ▲１▼（放送事業者Ａ：１０５ｃｈ）０時間、アニメ▲２▼（放送事業者Ｂ：１３０ｃｈ）６０時間、スポーツ▲１▼（放送事業者Ａ：１０６ｃｈ）、スポーツ▲２▼（放送事業者Ｂ：１２０ｃｈ）、映画▲１▼（放送事業者Ｂ：１００ｃｈ）２００時間、映画▲２▼（放送事業者Ａ：１１５ｃｈ）１５０時間と取得した場合には、当該制御部１１７は、ジャンル毎の視聴時間情報を、映画が３５０時間、ニュースが１８０時間、アニメが６０時間、スポーツが５０時間、音楽が１０時間と算出し、図１２（ｂ）に示すように視聴時間が長い、すなわち、優先度の高いジャンルから、映画、ニュース、アニメ、スポーツ、音楽と判断するとともに、各ジャンル毎に各放送チャンネルの視聴時間情報を比較して、視聴時間が長い順に各放送チャンネルを配列してチャンネル選択リスト、すなわち、この場合は、上位から、映画▲１▼、映画▲２▼、ニュース▲１▼、ニュース▲２▼、アニメ▲２▼、アニメ▲１▼、スポーツ▲１▼、スポーツ▲２▼と配列したチャンネル選択リストを生成するようになっている。
【０１４９】
本実施形態では、このように生成されたチャンネル選択リストとリモコン装置１０２とを対応づけ、ユーザがＵＰキー５１６またはＤＯＷＮキー５１７を操作すると、上述のように生成されたチャンネル選択リストに基づいてチャンネル順選択による選択制御を行うことができるようになっている。すなわち、当該チャンネル順選択によれば、ユーザがよく視聴するジャンルから選択が可能になるとともに、ニュースであれば、ニュースのジャンルを有する放送チャンネルを、アニメであれば、アニメのジャンルを有する放送チャンネルを、ＵＰキー５１６またはＤＯＷＮキー５１７によって連続して選択できるようになっている。
【０１５０】
なお、ＵＰキー５１６またはＤＯＷＮキー５１７に代えて、当該所定の図柄によるチャンネル選択リストを表示した場合に、カーソル移動キー５０９〜５１２および決定キー５１３などの操作キーによって図柄を選択したときに当該選択された放送チャンネルを選択するようにしてもよい。
【０１５１】
次に、図１３を用いて上述したチャンネル選択リストを生成するとともに、チャンネル選択制御を行う選択制御動作について説明する。
【０１５２】
なお、当該選択制御動作は制御部１１７によって行われるようになっており、以下に示すようにチャンネル選択リストを生成し、当該生成されたチャンネル選択リストとＵＰキー５１６、ＤＯＷＮキー５１７とを対応させることによって選択制御を行うようになっている。
【０１５３】
まず、ユーザによってジャンルキー５０７が押し下げられたか否かを判断し（ステップＳ３１）、制御部１１７によって当該ジャンルキー５０７が押し下げられたことが判断されると、上述した視聴時間情報を考慮するか否かを判断する（ステップＳ３２）。
【０１５４】
なお、本実施形態では、予め各放送チャンネルの視聴時間情報を取得してチャンネル選択リストの生成の際に当該視聴時間情報を考慮するか否かを設定することができ、例えば、リモコン装置１０２のメニューキー５０８などによって予め設定することができる。
【０１５５】
また、予め設定された視聴時間情報を取得することおよび視聴時間情報を考慮してチャンネル選択リストを生成するか否かの情報は制御部１１７内部に格納されており、この情報を参照することによって当該動作を行うか否かを判断する。
【０１５６】
次いで、視聴時間情報を考慮せずにチャンネル選択リストを生成する場合には、制御部１１７によって、各放送チャンネルのジャンル情報を取得して、予め設定されたジャンル順およびチャンネルの番号順にチャンネル選択リストが生成され（ステップＳ３３）、ステップＳ３６に行く。
【０１５７】
一方、視聴時間情報を取得してチャンネル選択リストを生成すると判断された場合には、各放送チャンネルのジャンル情報を取得するとともに、各ジャンルの視聴時間情報を取得し、視聴時間の長い順にジャンルを配列する（ステップＳ３４）。
【０１５８】
次いで、各放送チャンネル毎の視聴時間情報を取得して視聴時間の長い順にジャンル内の放送チャンネルを配列し、チャンネル選択リストを生成する（ステップＳ３５）。
【０１５９】
次いで、生成されたチャンネル選択リストに基づいてＵＰキー５１６およびＤＯＷＮキー５１７に対応づける（ステップＳ３６）。
【０１６０】
最後に、生成されたチャンネル選択リストに基づいてチャンネル選択制御を開始する（ステップＳ３７）。
【０１６１】
このように動作させることにより、生成されたチャンネル選択リストとＵＰキー５１６、ＤＯＷＮキー５１７とを対応させることができ、この後、ユーザがＵＰキー５１６、ＤＯＷＮキー５１７を操作すると、図１２（ｂ）に示すように、同一ジャンル毎に放送チャンネルをＵＰキー５１６、ＤＯＷＮキー５１７によって連続して検索・選択することができるようになっている。
【０１６２】
なお、上述の選択制御動作は、ユーザによる指示に基づいてチャンネル選択リストの生成を行うようになっているが、上述したチャンネルジャンル決定処理を行った後に、ユーザの指示を待たず、チャンネル選択リストを生成するよう制御してもよい。
【０１６３】
また、チャンネル選択リストを生成する際に、当該受信機１００が前回の動作終了時に選択（表示）されていた放送チャンネルをラストビューとしてチャンネル選択リストの最上位に配列するようにしてもよい。
【０１６４】
以上により本実施形態によれば、ジャンル情報および視聴時間情報に基づいて放送チャンネルを選択する際のチャンネル選択リストを生成し、チャンネル順選択を行うＵＰキーおよびＤＯＷＮキーと当該チャンネル選択リストとを対応づけて放送チャンネルの選択制御を行うことができるので、当該チャンネル選択リストに基づいて放送チャンネルを選択することができ、放送チャンネルが提供されるために割り当てられた周波数により順次選択されるチャンネル順（通常のチャンネル順）などによらず、チャンネル順をジャンルに関係づけることができる。
【０１６５】
したがって、ジャンルという指標によって放送チャンネルを選択する際の選択、例えば、同一ジャンルの放送チャンネルを連続して選択することができるので、多チャンネルの放送を受信する表示装置であっても、所望のジャンルの放送チャンネルをもれなく選択することができるとともに、チャンネル選択を簡易にかつ迅速に行うことができ、ユーザの操作性を向上させることができる。
【０１６６】
なお、本実施形態では、各番組のジャンルを示すニブルを放送波とともに提供されるＥＩＴ情報を取得することによって取得するようになっているが、これに限らず、放送波とは別にインターネットなどによって提供される情報を受信することによって取得するようにしてもよい。
【０１６７】
また、本実施形態では、ＥＩＴ情報の取得において、放送が将来予定される一定期間（１週間）の各放送チャンネル毎各番組毎のＥＩＴ情報を有するスケジュールＥＩＴ情報を取得することによって各番組の番組ＥＩＴ情報を取得するようになっているが、図３に示すように各ＣＳチャンネルで提供される番組ＥＩＴ（ｃｈ−ＥＩＴ）情報３０３を各放送チャンネル毎、各番組毎に取得することによって当該各番組毎のＥＩＴ情報を取得するようにしてもよい。
【０１６８】
また、本実施形態では、チャンネル順選択において、ＵＰキーおよびＤＯＷＮキーによってジャンル毎に分類したチャンネル選択リストに対応させて選択制御するようになっているが、ＵＰキーおよびＤＯＷＮキーに代えて、上下にカーソルを移動させるカーソル移動キーに当該チャンネル選択リストを対応させるようにしてもよい。
【０１６９】
また、本実施形態では、チャンネル選択制御において、各放送チャンネルのジャンル情報とともに、チャンネル選択リストをユーザが過去に各放送チャンネルを視聴した視聴時間に基づいて生成するようになっているが、視聴時間に代えてユーザが過去に選択した各放送チャンネルの選択回数によって生成するようにしてもよい。
【０１７０】
例えば、任意の放送チャンネルを選択した際に、一定の時間以上（例えば、１０分以上）選択された場合に、１回とカウントし、このカウント数の多少に基づいて上述したチャンネル選択リスト生成する。
【０１７１】
また、本実施形態では、チャンネルの選択制御動作において、チャンネル選択制御動作の基になるチャンネル選択リストを生成する際に、予め各放送チャンネルをジャンル毎に分類し、各放送チャンネルの視聴時間情報に基づいて生成するようになっているが、勿論、予め各放送チャンネルをジャンル毎に分類せず、直接、各放送チャンネルの視聴時間情報に基づいてのみ生成するようにしてもよい。
【０１７２】
例えば、図１４（ａ）に示すように、視聴時間情報を、ニュース▲１▼（放送事業者Ａ：１００ｃｈ）１００時間、ニュース▲２▼（放送事業者Ｂ：１０５ｃｈ）８０時間、音楽▲１▼（放送事業者Ａ：１１０ｃｈ）１０時間、音楽▲２▼（放送事業者Ａ：２００ｃｈ）０時間、アニメ▲１▼（放送事業者Ａ：１０５ｃｈ）０時間、アニメ▲２▼（放送事業者Ｂ：１３０ｃｈ）６０時間、スポーツ▲１▼（放送事業者Ａ：１０６ｃｈ）、スポーツ▲２▼（放送事業者Ｂ：１２０ｃｈ）、映画▲１▼（放送事業者Ｂ：１００ｃｈ）２００時間、映画▲２▼（放送事業者Ａ：１１５ｃｈ）１５０時間と取得した場合には、図１４（ｂ）に示すように、視聴時間が長い、すなわち、優先度の高いチャンネルから配列するようにする。
【０１７３】
この場合に、上述のチャンネル選択制御処理では、図１３に示すステップＳ３４の動作を省略して当該チャンネル選択リストを生成する。
【０１７４】
また、本実施形態において、この生成されたジャンル毎のチャンネル選択リストをＴＶディスプレイ１１２に表示するようにしてもよい。
【０１７５】
例えば、上述の処理により図１５（ａ）に示すようなチャンネル選択リストが生成された場合、すなわち、チャンネルジャンルの決定処理が行われ、視聴時間情報に基づいて、上位からニュース、アニメ、音楽、スポーツ、映画の順にチャンネル選択リストが生成された場合に、ＴＶディスプレイ１１２には、所定の図柄に基づいて図１５（ｂ）に示すようなチャンネル選択リストが表示されるようになる。
【０１７６】
具体的には、制御部１１７は、各ジャンルをＲＯＭ１１５に格納してある所定の図柄に設定し、ディスプレイプロセッサ１０９を制御してＴＶディスプレイ１１２に各ジャンル毎に各放送チャンネルを並べて表示するようになっている。これにより、カーソル移動キー５０９〜５１２および決定キー５１３などの操作キーによって図柄を選択したときに当該選択された放送チャンネルを選択することができるようになっている。
【０１７７】
また、本実施形態では、上述したような受信機１００において、ジャンル決定処理、チャンネル選択動作を行うようになっているが、制御部１１７をコンピュータおよびメモリなどの記録装置によって構成し、上述の各動作を行うプログラムを当該メモリに格納するとともに、この各プログラムをコンピュータによって読み出すことにより当該各動作を行うようにしてもよい。
【０１７８】
【発明の効果】
以上説明したように、本願発明によれば、過去にユーザが選択した放送チャンネルの選択回数または当該放送チャンネルの視聴時間などに基づいて、または、ジャンル情報に基づいてチャンネル選択リストを操作手段の操作に対応させることにより、当該チャンネル選択リストに基づいて放送チャンネルを選択することができるので、放送チャンネルが提供されるために割り当てられた周波数により順次選択されるチャンネル順（通常のチャンネル順）などによらず、チャンネル順を選択履歴に基づいて生成することができる。
【０１７９】
この結果、選択回数または視聴時間という指標によって放送チャンネルを選択する際の選択、例えば、頻繁に選択・視聴する放送チャンネルを連続して選択することができるので、多チャンネルの放送を受信する表示装置であっても、所望のジャンルの放送チャンネルをもれなく選択することができるとともに、チャンネル選択を簡易にかつ迅速に行うことができ、ユーザの操作性を向上させることができる。
【図面の簡単な説明】
【図１】本発明の一実施形態にかかる衛星デジタル放送受信機の構成を示す図である。
【図２】一実施形態における衛星デジタル放送受信機の操作装置であるリモコン装置の外観図である。
【図３】一実施形態のＣＳ放送におけるデジタル信号のデータ形式の概略図である。
【図４】一実施形態の放送波に含まれるＥＩＴ情報の構成を示す一例である。
【図５】一実施形態のコンテントニブルによってジャンルを特定する際のコンテントニブルとジャンルの対応例を示す図である。
【図６】一実施形態のユーザニブルによってジャンルを特定する際のユーザニブルとジャンルの対応例を示す図である。
【図７】その他の実施形態の放送波に含まれるＥＩＴ情報の構成を示す一例である。
【図８】一実施形態におけるジャンル決定処理の動作を示すフローチャートである。
【図９】一実施形態における１週間毎に算出するジャンル経験値の算出処理を説明するための図である。
【図１０】一実施形態における履歴情報取得処理の動作を示すフローチャートである。
【図１１】一実施形態におけるジャンル毎にチャンネル選択リストを生成する際の生成処理を説明するための図である。
【図１２】一実施形態におけるジャンル毎にチャンネル選択リストの生成する際の生成処理を説明するための図である。
【図１３】一実施形態におけるチャンネル選択制御の動作を示すフローチャートである。
【図１４】各チャンネルの視聴時間情報のみに基づいてチャンネル選択リストを生成する際のその他の生成処理を説明するための図である。
【図１５】一実施形態におけるチャンネル選択リストをＴＶディスプレイに表示する際の表示処理を説明するための図である。
【符号の説明】
１００  …  衛星デジタル放送受信機
１０１  …  バス
１０２  …  リモコン装置（操作手段）
１０３  …  アンテナ
１０４  …  チューナ（取得手段、番組情報取得手段）
１０５  …  復調処理部（取得手段、番組情報取得手段）
１０６  …  限定受信処理部
１０７  …  デマルチプレクサ（取得手段、番組情報取得手段）
１０８  …  ビデオデコーダ
１０９  …  ディスプレイプロセッサ
１１０  …  オーディオデコーダ
１１１  …  音声処理部
１１２  …  ＴＶディスプレイ
１１３  …  インターフェース（Ｉ／Ｏ）
１１４  …  フラッシュメモリ
１１５  …  ＲＯＭ
１１６  …  ＲＡＭ
１１７  …  制御部（取得手段、生成手段、分類手段、決定手段、番組情報取得手段、算出手段、表示制御手段）
１１８  …  モデム
３０１  …  チャンネルデータ
３０２  …  スケジュールＥＩＴ情報
３０３  …  ｃｈ−ＥＩＴ情報
３０４  …  制御データ
４００  …  番組ＥＩＴ情報
４０１  …  ｃｈ番号
４０２  …  時間情報
４０３  …  ニブル
４０４  …  キャラクターデータ
４０５  …  番組名情報
５０１〜５０８  …  機能キー
５０９〜５１２  …  カーソル移動キー
５１３  …  決定キー
５１４  …  入力キー
５１５  …  音量キー
５１６  …  ＵＰキー
５１７  …  ＤＯＷＮキー
【図１】
0003960805.tif 000002
【図２】
0003960805.tif 000003
【図３】
0003960805.tif 000004
【図４】
0003960805.tif 000005
【図５】
0003960805.tif 000006
【図６】
0003960805.tif 000007
【図７】
0003960805.tif 000008
【図８】
0003960805.tif 000009
【図９】
0003960805.tif 000010
【図１０】
0003960805.tif 000011
【図１１】
0003960805.tif 000012
【図１２】
0003960805.tif 000013
【図１３】
0003960805.tif 000014
【図１４】
0003960805.tif 000015
【図１５】
0003960805.tif 000016